(57)【特許請求の範囲】
【請求項１】
基地局が、無線ネットワークコントローラからの、前記基地局がユーザ機器ＵＥの上り閉ループ送信ダイバーシティの活性化を行う際に用いる活性化状態を指示するためのＵＬ  ＣＬＴＤ活性化状態セルを含む上り閉ループ送信ダイバーシティの配置情報を受信し、
前記基地局が、前記ＵＬ  ＣＬＴＤ活性化状態セルにより指示された活性化状態で前記ＵＥの上り閉ループ送信ダイバーシティに活性化処理を行うステップを含み、
前記上り閉ループ送信ダイバーシティの配置情報が前記ＵＬ  ＣＬＴＤ活性化状態セルを含まない場合、前記基地局が、予め設定された活性化状態で前記ＵＥの上り閉ループ送信ダイバーシティに活性化処理を行う上り閉ループ送信ダイバーシティの活性化方法。
【請求項２】
基地局が無線ネットワークコントローラからの上り閉ループ送信ダイバーシティの配置情報を受信するステップが、前記基地局がＩｕｂインターフェース及び/又はＩｕｒインターフェースを介して前記無線ネットワークコントローラからの前記上り閉ループ送信ダイバーシティの配置情報を受信することを含む請求項１に記載の方法。
【請求項３】
前記基地局が、無線リンク確立メッセージ、無線リンク増加メッセージ、無線リンク再配置メッセージの中の一つを含むメッセージを介して無線ネットワークコントローラからの上り閉ループ送信ダイバーシティの配置情報を受信する請求項１に記載の方法。
【請求項４】
前記ＵＬ  ＣＬＴＤ活性化状態セルが列挙することで前記基地局が前記ＵＥの上り閉ループ送信ダイバーシティの活性化を行う際に用いる活性化状態を指示し、前記活性化状態が、第１の活性化状態、第２の活性化状態、第３の活性化状態、第４の活性化状態、第５の活性化状態の中の少なくとも一つを含む請求項１に記載の方法。
【請求項５】
前記ＵＬ  ＣＬＴＤ活性化状態セルが列挙することで前記基地局がＵＥの上り閉ループ送信ダイバーシティの活性化を行う際に用いる活性化状態を指示し、前記列挙するタイプが、活性化、非活性化の中の一つを含む請求項１に記載の方法。
【請求項６】
前記予め設定された活性化状態が第１の活性化状態である請求項１に記載の方法。
【請求項７】
基地局に応用される上り閉ループ送信ダイバーシティの活性化装置であって、
無線ネットワークコントローラからの、前記基地局がユーザ機器ＵＥの上り閉ループ送信ダイバーシティの活性化を行う際に用いる活性化状態を指示するためのＵＬ  ＣＬＴＤ活性化状態セルを含む上り閉ループ送信ダイバーシティの配置情報を受信する受信モジュールと、
前記ＵＬ  ＣＬＴＤ活性化状態セルにより指示された活性化状態で前記ＵＥの上り閉ループ送信ダイバーシティに活性化処理を行う活性化モジュールと、を含み、
前記活性化モジュールは、さらに、前記上り閉ループ送信ダイバーシティの配置情報が前記ＵＬ  ＣＬＴＤ活性化状態セルを含まない場合、予め設定された活性化状態で前記ＵＥの上り閉ループ送信ダイバーシティに活性化処理を行うように構成される上り閉ループ送信ダイバーシティの活性化装置。
【請求項８】
前記受信モジュールが、Ｉｕｂインターフェース及び/又はＩｕｒインターフェースを介して前記無線ネットワークコントローラからの前記上り閉ループ送信ダイバーシティの配置情報を受信する第１の受信サブモジュールを含む請求項７に記載の装置。
【請求項９】
前記受信モジュールが、無線リンク確立メッセージ、無線リンク増加メッセージ、無線リンク再配置メッセージの中の一つを含むメッセージを介して無線ネットワークコントローラからの上り閉ループ送信ダイバーシティの配置情報を受信する第２の受信サブモジュールを含む請求項７に記載の装置。
【発明の詳細な説明】
【技術分野】
【０００１】
本発明は、通信分野に関し、具体的には、上り閉ループ送信ダイバーシティの活性化方法及び装置に関するものである。
【背景技術】
【０００２】
マルチアンテナ技術は、送信側及び/又は受信側で複数のアンテナを用いて一層高いシステム容量、広いセルカバー及び良好なサービス品質を提供する。送信側及び/又は受信側の複数のアンテナは、ダイバーシティの送信又は受信に用いられると共に、空間の多重化にも用いられる。ここで、送信ダイバーシティ技術は、送信側から少なくも２つの同一の情報を含む信号を送信する無線通信分野のフェージング防止技術である。これらの同一の情報を載せた信号は少なくも２つの互いに独立した信号源からのものである。送信ダイバーシティ技術は、送信する信号のサンプリング値の構造と統計特性及び占用する無線リソースの違いに基づいて、空間、周波数、時間の３種類に分けることができ、当該３種類を結合したものであることもできる。いわゆる空間ダイバーシティとは、送信（空間）位置が異なる場合の信号のチャネルを経て受信側に達した時の統計特性上の非関連性を利用して、フェージング防止の機能を実現することを指す。いわゆる周波数ダイバーシティとは、異なる周波数に位置する信号の減衰チャネルを経た後の統計上の非関連性を利用して、即ち、異なる周波数区間の減衰統計特性上の違いを利用して、フェージング防止（周波数選択性）の機能を実現することを指す。実現する際に、送信しようとする情報をそれぞれ周波数の関連性のないキャリアに変調して送信することができる。いわゆる時間ダイバーシティとは、ランダムな減衰信号のサンプリング時間間隔が十分に大きい時（伝送チャネルのコヒーレンス時間より大きい）にサンプリング点間の減衰が統計上で互いに関連しないことを利用して、即ち、時間上の減衰統計特性上の差異を利用して耐時間選択性減衰を実現することを指す。送信ダイバーシティ技術は、受信側が送信側にダイバーシティに必要なパラメータをフィードバックする必要があるか否かに基づいて、開ループ送信ダイバーシティモードと閉ループ送信ダイバーシティモードに分けられる。開ループ送信ダイバーシティモードで、受信側は送信側に送信に関する情報をフィードバックしなく、送信側が対応するコーディング技術（例えば、簡単な空間―時間コーディング）を用いて送信ダイバーシティを完成する。閉ループ送信ダイバーシティモードで、受信側はフィードバックチャネルを介して送信側に送信ダイバーシティに関連するパラメータ（例えば、送信ダイバーシティに必要なプリコーディングのベクトル量、プリコーディング指示情報で指示）をフィードバックして、送信側が受信した後、当該フィードバック情報に基づいて送信ダイバーシティを完成する。
【０００３】
３ＧＰＰ  Ｒｅｌｅａｓｅ  １０において、高速上りリンクパケットアクセス（High Speed Uplink Packet Access、以下ＨＳＵＰＡと略称）システムのユーザ側の上り開ループ送信ダイバーシティは標準的な制定を完成していて（TR25.863）、現在は、閉ループ送信ダイバーシティに関連する内容を検討中で、送信されるプリコーディング指示（Transmitted Precoding Indication、以下ＴＰＩと略称）が導入された。現在、当該分野において上り閉ループ送信ダイバーシティのチャネル構造の合意に達成し、図１は、関連技術に係わる上り閉ループ送信ダイバーシティのチャネル構造を示す図で、図１に示すように、一つの上りチャネル、即ち、サブ専用物理制御チャネル（Secondary Dedicated Physical Control Channel、以下、Ｓ−ＤＰＣＣＨと略称）が増加されていて、ネットワーク側にサブパイロット値を送信すると、ネットワーク側は受信したサブパイロット値と専用物理制御チャネル（Dedicated Physical Control Channel、以下、ＤＰＣＣＨと略称）中のパイロット値に基づいてチャネル通路の減衰状況を把握し、ＴＰＩ値を推定する。一つの下りチャネルが増加され、分数専用物理チャネルＦ−ＤＰＣＨ、即ちＦ−ＰＣＩＣＨ分数プリコーディング指示チャネルに類似し、上り送信ダイバーシティのプリコーディング値を端末に送信するのに用いられる。ＴＰＩ指示の更新速度は三つのタイムスロットである。ＴＰＩを受信した後の５１２コードレートを、端末は一番目のＤＰＣＣＨタイムスロット境界でＴＰＩに指示されたプリコーディングを応用して加重平均する。受信したＴＰＩについて、端末はその信頼性を測定し、端末が先行の３又は２４０タイムスロットでサービングリンクＦ−ＴＰＩＣＨからのＴＰＩ域を推定していて、少なくも一つのＴＰＩコードが一定の測定閾値ＱＴＰＩを満たすと（ここで、Qtpiは関連するテストによって決められるもので、３タイムスロット又は２４０タイムスロットは上層によって決められる）、端末は当該受信したＴＰＩ命令を用いて、つまり、当該ＴＰＩ域中のプリコーディング値を用いてｂｅａｍ  ｆｏｒｍｉｎｇ演算を行って、上り閉ループ送信ダイバーシティを完成する。
【０００４】
端末に上り閉ループ送信ダイバーシティが配置されていると、５種類の活性化状態がある：ＤＰＣＣＨ、専用物理データチャネル（Dedicated Physical Data Channel、以下、ＤＰＤＣＨと略称）、Ｅ−ＤＣＨ専用物理制御チャネル（E-DCH Dedicated Physical Control Channel、以下、Ｅ−ＤＰＣＣＨと略称）、Ｅ−ＤＣＨ専用物理データチャネル（E-DCH Dedicated Physical Data Channel、以下、Ｅ−ＤＰＤＣＨと略称）等のチャネルから一つのリンクとＳ−ＤＰＣＣＨチャネルリンクを構成し、ｂｅａｍ  ｆｏｒｍｉｎｇを経て２つのアンテナから送信され、当該状態は上り閉ループ送信ダイバーシティ活性化状態１と呼ばれる。
【０００５】
ＤＰＣＣＨ、ＤＰＤＣＨ、Ｅ−ＤＰＣＣＨ、Ｅ−ＤＰＤＣＨ等のチャネルから一つのリンクとＳ−ＤＰＣＣＨチャネルリンクを構成し、それぞれアンテナ１とアンテナ２から送信され、当該状態は上り閉ループ送信ダイバーシティ活性化状態２と呼ばれる。
【０００６】
ＤＰＣＣＨ、ＤＰＤＣＨ、Ｅ−ＤＰＣＣＨ、Ｅ−ＤＰＤＣＨ等のチャネルから一つのリンクとＳ−ＤＰＣＣＨチャネルリンクを構成し、それぞれアンテナ２とアンテナ１から送信され、当該状態は上り閉ループ送信ダイバーシティ活性化状態３と呼ばれる。
【０００７】
ＤＰＣＣＨ、ＤＰＤＣＨ、Ｅ−ＤＰＣＣＨ、Ｅ−ＤＰＤＣＨ等のチャネルから一つのリンクを構成し、アンテナで送信され、Ｓ−ＤＰＣＣＨチャネルは閉められ、アンテナ２も閉められ、当該状態は上り閉ループ送信ダイバーシティ活性化状態４と呼ばれる。
【０００８】
ＤＰＣＣＨ、ＤＰＤＣＨ、Ｅ−ＤＰＣＣＨ、Ｅ−ＤＰＤＣＨ等のチャネルから一つのリンクを構成してアンテナ２で送信され、Ｓ−ＤＰＣＣＨチャネルは閉められ、アンテナ１も閉められ、当該状態は上り閉ループ送信ダイバーシティ活性化状態５と呼ばれる。
【０００９】
しかし、上記の５種類の活性化状態について、関連技術においては基地局がどの活性化状態を初期活性化状態としているかについて開示されていない。
【発明の概要】
【発明が解決しようとする課題】
【００１０】
関連技術において基地局がどの活性化状態を初期活性化状態とするかを開示していない問題に鑑み、本発明は、当該問題を解決できる上り閉ループ送信ダイバーシティの活性化方法及び装置を提供することをその目的とする。
【課題を解決するための手段】
【００１１】
本発明の一態様によると、基地局が、無線ネットワークコントローラからの、基地局がＵＥの上り閉ループ送信ダイバーシティの活性化を行う際に用いる活性化状態を指示するＵＬ  ＣＬＴＤ活性化状態セル（cell）を含む上り閉ループ送信ダイバーシティの配置情報を受信し、基地局が、ＵＬ  ＣＬＴＤ活性化状態セルにより指示された活性化状態でＵＥの上り閉ループ送信ダイバーシティに活性化処理を行うステップを含む上り閉ループ送信ダイバーシティの活性化方法を提供する。
【００１２】
基地局が無線ネットワークコントローラからの上り閉ループ送信ダイバーシティの配置情報を受信するステップが、基地局がＩｕｂインターフェース及び/又はＩｕｒインターフェースを介して無線ネットワークコントローラからの上り閉ループ送信ダイバーシティの配置情報を受信することを含むことが好ましい。
【００１３】
基地局が、無線リンク確立メッセージ、無線リンク増加メッセージ、無線リンク再配置メッセージの中の一つを含むメッセージを介して、無線ネットワークコントローラからの上り閉ループ送信ダイバーシティの配置情報を受信することが好ましい。
【００１４】
ＵＬ  ＣＬＴＤ活性化状態セルが列挙することで基地局がＵＥの上り閉ループ送信ダイバーシティの活性化を行う際に用いる活性化状態を指示し、ここで、活性化状態が第１の活性化状態、第２の活性化状態、第３の活性化状態、第４の活性化状態、第５の活性化状態の中の少なくとも一つを含むことが好ましい。
【００１５】
ＵＬ  ＣＬＴＤ活性化状態セルが列挙することで基地局がＵＥの上り閉ループ送信ダイバーシティの活性化を行う際に用いる活性化状態を指示し、ここで、列挙するタイプが活性化、非活性化の中の一つであることが好ましい。
【００１６】
上り閉ループ送信ダイバーシティの配置情報がＵＬ  ＣＬＴＤ活性化状態セルを含まない場合、基地局が予め設定された活性化状態でＵＥの上り閉ループ送信ダイバーシティに活性化処理を行うことが好ましい。
【００１７】
予め設定された活性化状態が第１の活性化状態であることが好ましい。
【００１８】
本発明の他の一態様によると、上り閉ループ送信ダイバーシティの活性化装置を提供する。
本発明の上り閉ループ送信ダイバーシティの活性化装置は基地局に応用することができ、無線ネットワークコントローラからの、基地局がＵＥの上り閉ループ送信ダイバーシティに活性化を行う際に用いる活性化状態を指示するためのＵＬ  ＣＬＴＤ活性化状態セルを含む上り閉ループ送信ダイバーシティの配置情報を受信する受信モジュールと、ＵＬ  ＣＬＴＤ活性化状態セルにより指示された活性化状態でＵＥの上り閉ループ送信ダイバーシティに活性化処理を行う活性化モジュールと、を含む。
【００１９】
受信モジュールが、Ｉｕｂインターフェース及び/又はＩｕｒインターフェースを介して無線ネットワークコントローラからの上り閉ループ送信ダイバーシティの配置情報を受信する第１の受信サブモジュールを含むことが好ましい。
【００２０】
受信モジュールが、無線リンク確立メッセージ、無線リンク増加メッセージ、無線リンク再配置メッセージの中の一つを含むメッセージを介して無線ネットワークコントローラからの上り閉ループ送信ダイバーシティの配置情報を受信する第２の受信サブモジュールを含むことが好ましい。
【発明の効果】
【００２１】
本発明によると、基地局が無線ネットワークコントローラからのＵＬ  ＣＬＴＤ活性化状態セルにより指示された活性化状態を初期活性化状態として用いることによって、上記の問題を解決でき、上り閉ループ送信ダイバーシティ機能を実現できる。
【図面の簡単な説明】
【００２２】
ここで説明する図面は本発明を理解させるためのもので、本発明の一部を構成し、本発明における実施例と共に本発明を解釈するためのものであり、本発明を不当に限定するのではない。
【図１】図１は、関連技術に係わる上り閉ループ送信ダイバーシティのチャネル構造を示す図である。
【図２】図２は、本発明の実施例に係わる上り閉ループ送信ダイバーシティの活性化方法を示すフローチャートである。
【図３】図３は、本発明の好適な実施例１に係わる上り閉ループ送信ダイバーシティの活性化方法の交換を示すフローチャートである。
【図４】図４は、本発明の好適な実施例２に係わる上り閉ループ送信ダイバーシティの活性化方法の交換を示すフローチャートである。
【図５】図５は、本発明の実施例に係わる上り閉ループ送信ダイバーシティの活性化装置の構造を示すブロック図である。
【図６】図６は、本発明の好適な実施例１に係わる上り閉ループ送信ダイバーシティの活性化装置の構造を示すブロック図である。
【図７】図７は、本発明の好適な実施例２に係わる上り閉ループ送信ダイバーシティの活性化装置の構造を示すブロック図である。
【発明を実施するための形態】
【００２３】
以下、図面を参照しつつ実施例に関して本発明を詳しく説明する。ここで、衝突しない限り、本願の実施例及び実施例に記載の特徴を互いに組み合わせることができる。
以下の実施例中の重複するデータ処理方法をサーバに応用することができ、当該サーバを重複するデータ処理のみを行うように設定することができ、また、１セットのサーバに応用することもできる。又は、サーバ中の一つのモジュールとして他の機能を実行するサーバと共用することができる。
【００２４】
本発明の実施例によると、上り閉ループ送信ダイバーシティの活性化方法を提供し、図２は、本発明の実施例に係わる上り閉ループ送信ダイバーシティの活性化方法を示すフローチャートであり、図２に示すように、以下のステップＳ２０２〜ステップＳ２０４を含む。
【００２５】
基地局が、無線ネットワークコントローラからの上り閉ループ送信ダイバーシティの配置情報を受信し（ステップＳ２０２）、ここで、上り閉ループ送信ダイバーシティの配置情報は上り閉ループ送信ダイバーシティ（Uplink Close Loop Transmit Diversity、以下、ＵＬ  ＣＬＴＤと略称）活性化状態セルを含み、ＵＬ  ＣＬＴＤ活性化状態セルは、基地局がユーザ機器（User Equipment、以下、ＵＥと略称）の上り閉ループ送信ダイバーシティの活性化を行う際に用いられる活性化状態を指示する。
【００２６】
基地局が、ＵＬ  ＣＬＴＤ活性化状態セルにより指示された活性化状態で、ＵＥの上り閉ループ送信ダイバーシティに活性化処理を行う（ステップＳ２０４）。
【００２７】
関連技術に基地局がどの活性化状態を初期活性化状態として使用するかが開示されていない。本発明の実施例において、基地局は無線ネットワークコントローラからのＵＬ  ＣＬＴＤ活性化状態セルにより指示された活性化状態を初期活性化状態として使用することで、上記の問題を解決し、上り閉ループ送信ダイバーシティ機能を実現できる。
【００２８】
基地局が、無線ネットワークコントローラからの上り閉ループ送信ダイバーシティの配置情報を受信するステップが、基地局がＩｕｂインターフェース及び/又はＩｕｒインターフェースを介して無線ネットワークコントローラからの上り閉ループ送信ダイバーシティの配置情報を受信することを含むことが好ましい。
【００２９】
基地局が、無線リンク確立メッセージ、無線リンク増加メッセージ、無線リンク再配置メッセージの中の一つを含むメッセージを介して無線ネットワークコントローラからの上り閉ループ送信ダイバーシティの配置情報を受信することが好ましい。
【００３０】
ＵＬ  ＣＬＴＤ活性化状態セルが、列挙することによって基地局がＵＥの上り閉ループ送信ダイバーシティの活性化を行う際に用いる活性化状態を指示することが好ましく、ここで、活性化状態は、第１の活性化状態、第２の活性化状態、第３の活性化状態、第４の活性化状態、第５の活性化状態の中の少なくとも一つを含む。
【００３１】
ＵＬ  ＣＬＴＤ活性化状態セルが、列挙することによって基地局がＵＥの上り閉ループ送信ダイバーシティの活性化を行う際に用いる活性化状態を指示することが好ましく、ここで、列挙するタイプは活性化と非活性化の中の一つを含む。
【００３２】
そして、上り閉ループ送信ダイバーシティの配置情報にＵＬ  ＣＬＴＤ活性化状態セルが含まれていない場合、基地局は、予め設定された活性化状態でＵＥの上り閉ループ送信ダイバーシティに活性化処理を行い、ここで、予め設定された活性化状態は第１の活性化状態であることができる。
【００３３】
以下、実施例を結合して本発明の実施例の実現フローを詳しく説明する。
好適な実施例１
本好適な実施例１において、無線ネットワークコントローラが基地局に上り閉ループ送信ダイバーシティの配置情報を配置することを説明し、また、ＵＬ  ＣＬＴＤ活性化状態セルを携帯する。
図３は、本発明の好適な実施例１に係わる上り閉ループ送信ダイバーシティの活性化方法の交換を示すフローチャートで、図３に示すように、以下のステップＳ３０２〜ステップＳ３０８を含む。
【００３４】
ＳＲＮＣは、アルゴリズムに応じて、陸上インターフェースシグナルを介して基地局に上り閉ループ送信ダイバーシティモードを配置し（ステップＳ３０２）、ここで、上りダイバーシティモードは、閉ループダイバーシティモード（即ち、ＣＬＴＤ）であって、その関連するパラメータにＵＬ  ＣＬＴＤ活性化状態を携帯する。
ここで、陸上インターフェースシグナルは、無線リンク確立メッセージ又は無線リンク増加メッセージ又は無線リンク再配置メッセージであることができる。
ここで、ＵＬ  ＣＬＴＤ活性化状態のタイプを列挙する方式で表すことができ、そのタイプの値が第１の状態、第２の状態、第３の状態、第４の状態、第５の状態で、それぞれ上記の五つの活性化状態を示すことができ、又は、ＵＬ  ＣＬＴＤ活性化状態のタイプを列挙する方式で表すことができ、そのタイプの値が活性化、非活性化であることができる。
【００３５】
サービング無線ネットワークコントローラ（Serving Radio Network Controller、以下、ＳＲＮＣと略称）が、ドリフト無線ネットワークコントローラ（Drift Radio Network Controller、以下、ＤＲＮＣと略称）を介して配置情報をＤ側の基地局に送信する（ステップＳ３０４）。
【００３６】
基地局が、配置されたＵＬ  ＣＬＴＤ活性化状態を記憶する（ステップＳ３０６）。
【００３７】
基地局が、上り送信ダイバーシティの活性化を行う際、記憶したＵＬ  ＣＬＴＤ活性化状態で活性化処理を行う（ステップＳ３０８）。
【００３８】
好適な実施例２
本好適な実施例２において、ネットワーク側が基地局に上り閉ループ送信ダイバーシティの配置情報を配置することを説明し、ここで、ＵＬ  ＣＬＴＤ活性化状態を携帯しない。
図４は、本発明の好適な実施例２に係わる上り閉ループ送信ダイバーシティの活性化方法の交換を示すフローチャートで、図４に示すように、以下のステップＳ４０２〜ステップＳ４０８を含む。
【００３９】
無線ネットワークコントローラ（Radio Network Controller、以下、ＲＮＣと略称）が、アルゴリズムに応じて、陸上インターフェースシグナルを介して基地局に上り閉ループ送信ダイバーシティモードを配置し（ステップＳ４０２）、ここで、上りダイバーシティモードは閉ループダイバーシティモード（即ち、ＣＬＴＤ）で、関連するパラメータにＵＬ  ＣＬＴＤ活性化状態を携帯しない。
ここで、陸上インターフェースシグナルは、無線リンク確立メッセージ、無線リンク増加メッセージ、無線リンク再配置メッセージ等であることができる。
【００４０】
ＳＲＮＣが、ＤＲＮＣを介して配置情報をＤ側の基地局に送信する（ステップＳ４０４）。
【００４１】
基地局が、ＵＬ  ＣＬＴＤ活性化状態を決まりきった初期化活性化状態として記憶し（ステップＳ４０６）、例えば初期化活性化状態が１である。
【００４２】
基地局が、上り送信ダイバーシティの活性化を行う際、記憶したＵＬ  ＣＬＴＤ活性化状態１で活性化を行う（ステップＳ４０８）。
【００４３】
なお、フローチャートに示すステップを１セットの計算機が命令を実行可能な計算機システムに実行することができ、また、フローチャートに論理的な順を示しているが、場合によっては、フローチャートに示すステップ又は説明したステップを他の順で実行することもできる。
【００４４】
本発明の実施例によると、上り閉ループ送信ダイバーシティの活性化装置を提供し、当該上り閉ループ送信ダイバーシティの活性化装置は、基地局に応用でき、上述の上り閉ループ送信ダイバーシティの活性化方法を実現できる。図５は、本発明の実施例に係わる上り閉ループ送信ダイバーシティの活性化装置の構造を示すブロック図で、図５に示すように、受信モジュール５２と、活性化モジュール５４と、を含む。以下詳しく説明する。
受信モジュール５２は無線ネットワークコントローラからの上り閉ループ送信ダイバーシティの配置情報を受信し、ここで、上り閉ループ送信ダイバーシティの配置情報はＵＬ  ＣＬＴＤ活性化状態セルを含み、ＵＬ  ＣＬＴＤ活性化状態セルは、基地局がユーザ機器ＵＥの上り閉ループ送信ダイバーシティの活性化を行う際に用いる活性化状態を指示する。活性化モジュール５４は受信モジュール５２に接続されて、受信モジュール５２で受信した上り閉ループ送信ダイバーシティの配置情報に含まれたＵＬ  ＣＬＴＤ活性化状態セルにより指示された活性化状態でＵＥの上り閉ループ送信ダイバーシティに活性化処理を行う。
【００４５】
図６は、本発明の好適な実施例１に係わる上り閉ループ送信ダイバーシティの活性化装置の構造を示すブロック図で、図６に示すように、受信モジュール５２は、Ｉｕｂインターフェース及び/又はＩｕｒインターフェースを介して無線ネットワークコントローラからの上り閉ループ送信ダイバーシティの配置情報を受信する第１の受信サブモジュール５２２を含む。
【００４６】
図７は、本発明の好適な実施例２に係わる上り閉ループ送信ダイバーシティの活性化装置の構造を示すブロック図で、図７に示すように、受信モジュール５２は、無線リンク確立メッセージ、無線リンク増加メッセージ、無線リンク再配置メッセージの中の一つを含むメッセージを介して無線ネットワークコントローラからの上り閉ループ送信ダイバーシティの配置情報を受信する第２の受信サブモジュール５２４を含む。
【００４７】
なお、装置の実施例で説明した上り閉ループ送信ダイバーシティの活性化装置は上記の方法の実施例に対応し、その具体的な実現フローは、方法の実施例で詳しく説明したので、ここでは説明を省略する。
【００４８】
上述のように、本発明の上記実施例によると、上り閉ループ送信ダイバーシティの活性化方法及び装置を提供する。本発明の実施例によると、基地局が無線ネットワークコントローラからのＵＬ  ＣＬＴＤ活性化状態セルにより指示された活性化状態を初期活性化状態として用いることによって、上記の問題を解決でき、上り閉ループ送信ダイバーシティ機能を実現できる。
【００４９】
当業者にとって、上述の本発明の各ブロック又は各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、又は夫々集積回路ブロックに製作し、又はそれらにおける複数のブロック又はステップを単独の集積回路ブロックに製作して実現することができることは明らかなことである。このように、本発明は如何なる特定のハードウェアとソフトウェアの結合にも限定されない。
【００５０】
以上は、本発明の好適な実施例に過ぎず、本発明を限定するものではない。当業者であれば本発明に様々な修正や変形が可能である。本発明の精神や原則内での如何なる修正、置換、改良なども本発明の保護範囲内に含まれる。
【図１】
0006001090.tif 000002
【図２】
0006001090.tif 000003
【図３】
0006001090.tif 000004
【図４】
0006001090.tif 000005
【図５】
0006001090.tif 000006
【図６】
0006001090.tif 000007
【図７】
0006001090.tif 000008